(57)【要約】【課題】構造が簡単で低コストの壁固定型のプラグ式コネクターを提供する。【解決手段】プラグ式コネクター（１）は、継手ナット（３）によってプラグ又はソケットが一体的に取り付けられたハウジング（２）、ハウジング（２）を受容し壁（９）に固定するための中央開口部（１１）を有するフランジ（８）を備えている。フランジ（８）は、一体的に形成されて着脱可能にハウジング（２）に連結され且つ壁（９）に固定するための固定用ネジ（１２）の貫通孔（１０）を備え、フランジ（８）の中央開口部（１１）の内径は継手ソケット（３）及び／又はハウジング（２）の外径に相当することを特徴としている。このように形成されているため、ハウジング（２）に特別な加工をしなくてもフランジ（８）とハウジング（２）とがプラグ式コネクター（１）の径方向に噛合って連結可能となる。【選択図】図１
2008130555.tif 000002
【特許請求の範囲】
【請求項１】
継手ナット（３）によってプラグ又はソケットが一体的に取り付けられたハウジング（２）、ハウジング（２）を受容し壁（９）に固定するための中央開口部（１１）を有するフランジ（８）を備えた、壁（９）に固定するプラグ式コネクター（１）であって、
フランジ（８）は、一体的に形成されて着脱可能にハウジング（２）に連結され且つ壁（９）に固定するための固定用ネジ（１２）の貫通孔（１０）を備え、
フランジ（８）の中央開口部（１１）の内径は継手ソケット（３）及び／又はハウジング（２）の外径に相当することを特徴とする壁固定型プラグ式コネクター。
【請求項２】
継手ナット（３）及び／又はハウジング（２）並びにフランジ（８）の中央開口部（１１）は円形断面を備えていることを特徴とする請求項１に記載の壁固定型プラグ式コネクター。
【請求項３】
フランジ（８）及びハウジング（２）は回転防止装置（１６、１７）を備えていることを特徴とする請求項１又は請求項２に記載の壁固定型プラグ式コネクター。
【請求項４】
フランジ（８）はハウジング（２）を固定するための係止手段（１５）を備えていることを特徴とする請求項１ないし請求項３のいずれか１項に記載の壁固定型プラグ式コネクター。
【請求項５】
フランジ（８）は、ハウジング（２）及び／又は壁（９）をシールするために少なくとも１つのパッキング（１８）を備えたことを特徴とする請求項１ないし請求項４のいずれか１項に記載の壁固定型プラグ式コネクター。
【請求項６】
継手ナット（３）の外径は、ハウジング（２）の外径より小さいか又は同等に形成されていることを特徴とする請求項１ないし請求項５のいずれか１項に記載の壁固定型プラグ式コネクター。
【発明の詳細な説明】
【技術分野】
【０００１】
本発明は、ハウジング並びにそのハウジングを受容し壁に固定する中央開口部及び固定用ネジの貫通孔を有するフランジを備えた、プラグ−ソケット形式により差し込み可能な壁に固定できるプラグ式コネクターに関する。
【背景技術】
【０００２】
このようなプラグ式コネクターは独国実用新案出願公開第２０００７１７１号明細書に開示されており、非弾性の素材製フランジを用いて、一方が壁に固定される低コストを実現したプラグ式コネクターが記載されている。フランジを用いると、カップリング又はプラグ式コネクターの壁への固定が確実であり、ハウジングはコネクターに固定するか、固定せずに自由に選択して使用できる。ハウジングを固定する装置であるフランジは２つの部材から構成され、フランジを装着すると、プラグ式コネクターの一方のハウジングが密閉される。フランジを２つの部材から形成することにより、ハウジングの軸方向に滑らかな外面を備えるだけで、ハウジングを特別な形状としなくても、コネクターソケット又はプラグのハウジングを外部から密閉することが可能となる。これにより、プラグ式コネクターの一方のハウジングを統一的に形成できることになり、フランジをハウジングに固定するためにフランジに対応してフプラグ式コネクターの一方のハウジングの突出部を壁の表面よりも突出して任意に形成できる。
【０００３】
壁に固定するために、プラグ式コネクターの一方を用いて結合するフランジを備えたこの方法は、確実に且つ簡単に実行でき且つ全ての挿入に可能なプラグ式コネクターの一方のハウジングの統一的な形成が可能であることが実証されている。しかし、フランジに一部の形状が複雑となることが問題である。このことは、フランジの２つの部分の互いに向き合った端部が交互に窪みを有する切り欠きと突出部として形成され噛合い可能であることに起因する。しかし、この方法は、フランジの２つの部分がカップリング又はプラグ式コネクターの一方の軸への移動方向に平行に互いに噛み合って連結しているという利点がある。しかし、他方では、製造がコスト高になる点が問題である。Ｏ−リングによって簡単に密閉することは不可能である。
【発明の開示】
【発明が解決しようとする課題】
【０００４】
本発明は、上記の課題を解決する単純な形状で且つ低コストのフランジを有する壁に固定できるプラグ式コネクターの一方を提案することを目的とする。
【課題を解決するための手段】
【０００５】
上記課題は、下記のように構成したプラグ式コネクターにより解決される。
【０００６】
（１）継手ナットによってプラグ又はソケットが一体的に取り付けられたハウジング、該ハウジングを受容し壁に固定するための中央開口部を有するフランジを備えた前記壁に固定するプラグ式コネクターであって、前記フランジは、一体的に形成されて着脱可能に前記ハウジングに連結され且つ前記壁に固定するための固定用ネジの貫通孔を備え、前記フランジの前記中央開口部の内径は前記継手ソケット及び／又は前記ハウジングの外径に相当することを特徴とする壁固定型プラグ式コネクター。
【０００７】
（２）前記継手ナット及び／又は前記ハウジング並びに前記フランジの前記中央開口部は円形断面を備えていることを特徴とする前記（１）に記載の壁固定型プラグ式コネクター。
【０００８】
（３）前記フランジ及び前記ハウジングはそれぞれが回転防止装置を備えていることを特徴とする前記（１）又は（２）に記載の壁固定型プラグ式コネクター。
【０００９】
（４）前記フランジは前記ハウジングを固定するための係止手段を備えていることを特徴とする前記（１）ないし（３）のいずれか１項に記載の壁固定型プラグ式コネクター。
【００１０】
（５）前記フランジは、前記ハウジング及び／又は前記壁をシールするために少なくとも１つのパッキングを備えたことを特徴とする前記（１）ないし（４）のいずれか１項に記載の壁固定型プラグ式コネクター。
【００１１】
（６）前記継手ナットの外径は、前記ハウジングの外径より小さいか又は同等に形成されていることを特徴とする前記（１）ないし（５）のいずれか１項に記載の壁固定型プラグ式コネクター。
【発明の効果】
【００１２】
本発明によるプラグ式コネクターでは、簡単な構造の着脱可能フランジを備えており、そのためプラグ式コネクターの壁への着脱が簡単に行えるようになり且つ装着の際には、低コストでコネクターの気密性を保つことが可能となった。
【発明を実施するための最良の形態】
【００１３】
本発明によるプラグ式コネクターでは、フランジが一体的に形成されプラグ式コネクターと着脱可能となっている。このコネクターでは、フランジの中央開口部の内径がプラグ式コネクターの継手ナットの外径及び／又はハウジングの外径と同じである。このように形成することにより、ハウジングを更に加工しなくても、コネクターの径方向においてフランジとハウジングが噛み合って連結することが可能となる。プラグ式コネクターと着脱可能なフランジは、簡単にコネクターのプラグ側へとハウジングから軸方向へ外したり、戻してハウジングに差し込むことが可能である。その際、フランジは、ハウジングに回転可能に固定した継手ナットに装着してもよい。従って、既に電源供給部を備えたプラグ式コネクターを問題なく壁に固定することが可能となる。
【００１４】
プラグ式コネクターの一方は、プラグ又はソケットとして形成される。プラグ式コネクターの一部又はそれに対応するコネクター一部である回転可能な固定用継手ナットを用いて、対応するコネクターが不意に外れること確実に防ぐことができる。通常は方形か円形であるが、任意の外形を備えたフランジにより、プラグ式コネクターが壁へ固定される。フランジが壁にネジ止めできるように、フランジの外部域に固定ネジ用の貫通孔が備えられている。更に、ハウジングを受容し且つハウジングを壁に固定するために、フランジには中央開口部を備えている。中央開口部の断面形状をハウジングの断面形状に適合させている。従って、ハウジング上のフランジの径方向の遊びは無視できるほど僅かであり、フランジは軸方向に厚みを有するので、フランジに対してハウジングが傾くことを防いでいる。フランジを、プラグ式コネクターの中間域においてハウジングの任意の位置に着脱可能に固定してもよい。
【００１５】
本発明による好ましい形態では、継手ナット及び／又はハウジング並びにフランジの中央開口部は円形、実際には円筒状の断面形状を備えているので、中央開口部の外周においてハウジングをフランジに対して任意に調整することが可能となる。
【００１６】
更に、フランジ及びハウジングに互いに回転を防止する装置を備え、一つ又は複数の任意の角度においてハウジングの位置決め及び保持が可能である利点がある。これは、例えばハウジングの径方向に配列した突出部と対応してフランジに形成された凹部が噛み合うことにより実行され、その際に突出部はハウジングのフランジが配置される部分にのみ形成される。
【００１７】
ハウジングをフランジに固定するために、フランジに保持手段を備え、それにより、ハウジングはフランジの所望の位置に固定可能となる。簡単な場合には、ハウジングの径方向に作用するネジにより挟んで固定することもできる。フランジに対応してハウジングを配置することにより、プラグ式コネクターの突出部は壁を通して調節可能となる。しかし、フランジとハウジングの間における連結方法も除外できない。
【００１８】
しばしば壁の後方の空間に侵入する水、例えばスプレーによる水を防ぐことが重要となる。そのため、本発明によるフランジは、ハウジング及び／又は壁を密閉するために、少なくとも１つのパッキングを備えている。パッキングとして例えば、フランジに挿入可能なＯ−リングを、フランジを介して壁の面及び／又はハウジング対向する側面に配置してもよい。Ｏ−リングは、プラグ式コネクターを壁又はハウジングに装着の際に押圧され、ハウジングと壁の間の空隙部を確実に密閉する。パッキングの装着により、防護クラスＩＰ６７の気密が達成される。
【００１９】
更に、継手ナットの外径をハウジングの外径より小さいか同等にしてもよい。これにより、フランジを非常に簡単に継手ナット上に導入できる。
【実施例】
【００２０】
以下、図面を用いて本発明の特徴及び長所を説明するが、図面に示された実施例に限定されるものではない。
【００２１】
図１〜図３には、円筒状のそれぞれの外径を有するハウジング２、継手ナット３及びキャップ４を備えた本発明によるプラグ式コネクター１が示されている。ハウジング２の外周面５、継手ナット３の外周面６及びキャップ４の外周面７は、一体となってプラグ式コネクター１の突出部のない外面を形成している。ハウジング２は、方形のフランジ８により壁９に固定されている。図２で明らかなように、フランジ８は固定用ネジ１２を通すための貫通孔１０並びにハウジング２を通すための中央開口部１１を備えている。
【００２２】
端子部２０を備えたプラグ式コネクター１を装着するために、壁９にはハウジング２の外形より僅かに大きな円形の装着用開口部１３が備えられている。更に、固定用ネジ１２によってフランジ８を壁９に固定できるように、フランジ８の貫通孔１０に対応して開口部１３の周りに固定用孔１４が備えられている。フランジ８はハウジング２の保持手段として、係止ネジ１５を備えている。係止ネジ１５によりハウジング２をフランジ８に固定し、壁９からのプラグ式コネクター１の壁９からの突出量が無段階に調整可能となる。フランジ８とハウジング２の位置関係を規定するために、フランジ８及びハウジング２のそれぞれに凹部１６、突出部１７の形で回転防止装置が形成され、装着時には互いに噛み合った状態となる。
【００２３】
プラグ式コネクター１は壁９の気密を保つように装着されている。気密を保つために、パッキングとしてＯ−リング１８が備えられ、フランジ８と一体化したハウジング２と壁９との間の空隙部１９をシールしている。更に、フランジ８の中央開口部１１は、壁９に向いた側部が径方向を外方へ階段状に形成されているので、Ｏ−リング１８はフランジ８によりハウジング２の径方向及び壁９の軸方向へと押圧される。Ｏ−リング１８は、壁９及びハウジング２の外周面５に密着して空隙部１９をシールしている。ハウジング２をフランジ８に挿入することによって、Ｏ−リング１８はプラグ式コネクター１の径方向に押圧され且つ壁９にフランジ８を固定することによりプラグ式コネクター１の軸方向に押圧され、これにより空隙部１９は防護クラスＩＰ６７の気密が保たれる。
【図面の簡単な説明】
【００２４】
【図１】フランジを取り付けた状態のプラグ式コネクターの斜視図
【図２】フランジを取り外した状態のプラグ式コネクターの斜視図
【図３】図１に示すプラグ式コネクターの部分断面側面図
【符号の説明】
【００２５】
１    プラグ式コネクター
２    ハウジング
３    継手ナット
４    キャップ
５    （ハウジングの）外周面
６    （継手ナットの）外周面
７    （キャップの）外周面
８    フランジ
９    壁
１０  貫通孔
１１  中央開口部
１２  固定用ネジ
１３  開口部
１４  （固定用）孔
１５  係止ネジ
１６  凹部
１７  突出部
１８  Ｏ−リング
１９  空隙部
２０  端子部
【図１】
2008130555.tif 000003
【図２】
2008130555.tif 000004
【図３】
2008130555.tif 000005